(57)【要約】【課題】被験者の体質を簡便に識別できる識別システムを提供する。【解決手段】被験者の体質を識別する体質識別システムであって、体質と肌の状態との相関関係を予め記憶する記憶部と、被験者の肌の状態を検出する皮膚計測手段と、を備え、前記皮膚計測手段で検出された被験者の肌の状態と、前記記憶部に記憶された前記相関関係とを照合して、被験者の体質を識別する。被験者の体質をＣＣＭＱのアンケート結果に基づいて特定する場合は、かなりの時間と手間が掛かる。また、被験者のアンケートに対する回答は、被験者が感じている状態を答えるものであるため、個人差が大きく客観性に欠ける面がある。これに対し、本発明のシステムでは、短時間で客観的な体質識別が可能である。【選択図】図５
2019205943.tif 000002
【特許請求の範囲】
【請求項１】
被験者の体質を識別する体質識別システムであって、
体質と肌の状態との相関関係を予め記憶する記憶部と、
被験者の肌の状態を検出する皮膚計測手段と、
を備え、前記皮膚計測手段で検出された被験者の肌の状態と、前記記憶部に記憶された前記相関関係とを照合して、被験者の体質を識別する体質識別システム。
【発明の詳細な説明】
【技術分野】
【０００１】
本発明は、被験者の体質を識別する識別システムに関し、被検者の体質を簡単に識別できるようにしたものである。
【背景技術】
【０００２】
中国では、下記非特許文献１に記載されているように、被験者が中医体質調査票（Constitution in Chinese Medicine Questionnaire：ＣＣＭＱ）に記載された６０の質問に回答することで被験者を９種の体質に分類する体質評価法が国家基準として採用され、国民の健康維持・増進、疾病予防に活用されている。
各質問の回答は、１．まったくない、２．まれにある、３．ときどきある、４．よくある、５．いつもある、の中から選択する。
【０００３】
９種の体質は、平和質、気虚質、陽虚質、陰虚質、痰湿質、湿熱質、血お質、気鬱質、及び特稟質である。
平和質は、心身ともにバランスがとれた理想的なタイプである。その他の８種の体質は、未病体質である。
気虚質は、身体の機能状態が低下し、気が虚（不足）したタイプである。
陽虚質は、陽(エネルギー)が虚（不足）して、冷えやすく寒さに弱いタイプである。
陰虚質は、口や喉が渇く、のぼせる、イライラしやすいタイプである。
痰湿質は、代謝産物がたまりやすいタイプである。
湿熱質は、湿邪と熱邪が体内に籠り、排出機能が不十分なタイプである。
血お質は、血の流れが悪く、シミができやすいタイプである。
気鬱質は、気分が沈みがちなタイプである。
特稟質は、環境要素など外部刺激に反応しやすい過敏タイプである。
【０００４】
ＣＣＭＱに回答した被験者の体質は、その回答結果に基づいて特定され、被験者は、その体質に応じたライフスタイルや食事を採ることで体質の改善を図ることになる。
なお、非特許文献１では、ＣＣＭＱの各質問間の相関について検討している。
【先行技術文献】
【非特許文献】
【０００５】
【非特許文献１】山森明弘他「多変量解析法にもとづいた日本語版中医体質調査票（ＣＣＭＱ−Ｊ）における各質問間相関の評価ならびにＢＭＩ、年齢の推定モデルの構築」日本補完代替医療学会誌、第１３巻、第２号（２０１６年９月）、ＰＰ．４３〜５６
【非特許文献２】WWW.starttoday.jp/news/20171122-3175/「スタートトゥデイ、採寸用ボディースーツ「ＺＯＺＯＳＵＩＴ（ゾゾスーツ）」を無料配布、本日より予約受付開始」
【発明の概要】
【発明が解決しようとする課題】
【０００６】
本発明者は、これまで、体質と肌の状態との相関関係について調査してきた。
この調査では、被験者の体質をＣＣＭＱの回答結果に基づいて特定するとともに、被験者の肌の状態を皮膚計測機（例えばConfield Scientific社製のＶＩＳＩＡ）による分析や、バウマン・スキンタイプに分類付けするためのアンケート調査を通じて特定し、ＣＣＭＱ体質と肌状態との相関を統計学的に解析した。
【０００７】
本発明は、こうした調査・研究に基づいて創案したものであり、被験者の体質を簡便に識別できる識別システムを提供することを目的としている。
【課題を解決するための手段】
【０００８】
本発明は、被験者の体質を識別する体質識別システムであって、体質と肌の状態との相関関係を予め記憶する記憶部と、被験者の肌の状態を検出する皮膚計測手段と、を備え、前記皮膚計測手段で検出された被験者の肌の状態と、前記記憶部に記憶された前記相関関係とを照合して、被験者の体質を識別するものである。
被験者の体質をＣＣＭＱのアンケート結果に基づいて特定する場合は、かなりの時間と手間が掛かる。また、被験者のアンケートに対する回答は、被験者が感じている状態を答えるものであるため、個人差が大きく客観性に欠ける面がある。これに対し、本発明のシステムでは、皮膚計測手段の計測結果に基づいて体質を識別しているため、短時間で客観的な体質識別が可能である。
【発明の効果】
【０００９】
本発明の体質識別システムでは、被験者の体質を短時間で高精度に識別することができる。
【図面の簡単な説明】
【００１０】
【図１】本発明を利用する識別システムの構成を示すブロック図
【図２】図１の採寸用ボディースーツを示す図
【図３】図２の布状センサを示す図
【図４】図１のデータベースに格納する情報の作成手順を示すフロー図
【図５】体型データと体質及び肌との関係を模式的に示す図
【発明を実施するための形態】
【００１１】
本発明者は、体質と肌の状態との相関関係について次のように調査した。
この調査では、被験者の体質をＣＣＭＱの回答結果に基づいて特定するとともに、被験者の肌の状態を皮膚計測機（Confield Scientific社製のＶＩＳＩＡ）による分析や、バウマン・スキンタイプに分類付けするためのアンケート調査を通じて特定し、ＣＣＭＱ体質と肌状態との相関を統計学的に解析した。
【００１２】
バウマン・スキンタイプは、肌の状態を、脂性肌／乾燥肌、敏感肌／耐性肌、色素性肌（赤いシミや茶色の斑点ができやすい）／非色素性肌、シワ肌／ハリ肌を組合せた１６のタイプに分ける分類法である。
【００１３】
この調査の結果、次のようなことが分かった。
脂性肌／乾燥肌の関係を表すスコア（脂性肌の程度が高いほど値が大きく、乾燥肌の程度が高いほど値が小さい）は、湿熱質及び痰湿質の体質と正の相関があり、湿熱質及び痰湿質の程度が進むほど、より脂性肌になる。また、血お質及び気鬱質の体質とは負の相関があり、血お質及び気鬱質の程度が進むほど、より乾性肌になる。
耐性肌／敏感肌の関係を表すスコアは、平和質の体質と正の相関があり、平和質の程度が進むほど、より耐性肌になる。その他の８つの体質とは負の相関があり、その程度が進むほど、より敏感肌になる。
色素性肌／非色素性肌の関係を表すスコアは、血お質、痰湿質、湿熱質及び気鬱質の体質と正の相関があり、血お質、痰湿質、湿熱質及び気鬱質の体質の程度が進むほど、より色素性肌になる。平和質の体質とは負の相関があり、平和質の体質の程度が進むほど、より非色素性肌になる。
シワ肌／ハリ肌の関係を表すスコアは、血お質、気虚質、陰虚質及び特稟質の体質と正の相関があり、血お質、気虚質、陰虚質及び特稟質の程度が進むほど、よりシワ肌になる。
【００１４】
また、スポット（しみ、斑点、ほくろ）のスコアは、平和質の体質と正の相関関係を有し、平和質の程度が進むほど、少なくなる。また、痰湿質、湿熱質、気鬱質、血お質、気虚質及び陰虚質の体質と負の相関を有し、その程度が進むほど、スポットを持つようになる。
肌のキメに関しては、痰湿質及び湿熱質の体質では粗い肌のきめを持ち、陽虚質及び血お質の体質では平坦な肌のきめを持つ。
毛穴に関しては、痰湿質や湿熱質の体質では、大きな毛穴をもつ傾向にあり、血お質や陽虚質の体質では良好な毛穴を持つ傾向にある。
ＵＶスポットに関しては、陰虚質の体質ではＵＶスポットが出来やすく、血お質体質では、ＵＶスポットができにくい傾向にある。
褐色斑点に関しては、平和質、気虚質、血お質、気鬱質、陰虚質及び痰湿質の体質では、茶色の斑点を有する傾向があり、陽虚質では茶色の斑点が少ない傾向にある。 
赤いシミに関しては、湿熱質及び陰虚質の体質では、赤いシミの赤みが多い傾向があり、陽虚質の体質では赤いシミの赤みが少ない傾向がある。
ニキビ痕にシミを発生させるポルフィリンに関しては、湿熱質の体質では、ポルフィリンの含量が高く、平和質、陽虚質、血お質及び気鬱質の体質では、ポルフィリン含量が低い傾向にある。
こうした相関関係に基づいて、肌の状態から体質を予測することが可能である。
【００１５】
こうした体質と肌の状態との相関関係を記憶部に記憶して置く。そして、被験者の肌の状態を皮膚計測手段で検出し、検出した被験者の肌の状態と、記憶部に記憶した相関関係とを照合すれば、被験者の体質が簡単に識別できる。
【００１６】
また、皮膚計測手段を用いた肌状態の検出は、次のようなシステムにも利用できる。
図１は、その体質識別システムを示している。このシステムでは、被験者が採寸用ボディースーツを装着して被験者の体型データを測定すると、その体型データから被験者の体質や肌の状態が識別できるように構成されている。
このシステムは、被験者の体型データから被験者の体質や肌の状態を識別する識別装置１０と、この識別に使用される情報が蓄積されたデータベース２０と、データベース２０に蓄積する情報を作成する蓄積情報作成装置２１とを備えている。
蓄積情報作成装置２１は、複数の対象者の体型データと体質の情報と肌の情報とからデータベース２０に蓄積する情報を作成する。
対象者の体質は、対象者がＣＣＭＱ３０１に記入した回答に基づいて決定される。対象者の肌の状態は、対象者の肌を皮膚計測機３０２で計測した結果やバウマン・スキンタイプに分類付けするためのアンケート調査の結果に基づいて決定される。
【００１７】
対象者の体型データは、対象者が採寸用ボディースーツ３０４を着用することで測定される。
採寸用ボディースーツ３０４は、その一例が国際公開ＷＯ２０１４／２０４３２３号に記載されている。このボディースーツは、図２に示すように、多数の布状センサ５２ａ〜５２ｉがトップス５３及びボトムス５４の各所に取り付けられている。布状センサは、図３（ａ）（平面図）、図３（ｂ）（側面図）に示すように、布状絶縁体５７と、それを挟む布状電極５５、５６とで構成され、伸び縮みが可能であって、その伸び縮みにより布状電極５５、５６間の電気容量が変化する。逆に、その変化を検出すれば布状センサ５２ａ〜５２ｉの長さの変化が分かる。
【００１８】
前記非特許文献２に記載されているように、対象者が採寸用ボディースーツ３０４を着用したときの各布状センサの電気特性の変化が、近距離通信機能を持つスマートホン等の読取装置３０３に伝えられると、読取装置３０３は、対象者のあらゆる箇所の寸法データを瞬時に算出して保存する。
読取装置３０３は、対象者の体型データとして、例えば、バスト、二の腕、ウエスト、ヒップ、太もも、ふくらはぎ、足首、肩幅、骨盤等の寸法を蓄積情報作成装置２１に送信する。
【００１９】
蓄積情報作成装置２１は、対象者の体型データや体質、肌の情報が入力するデータ入力部２１１と、入力した各対象者の情報を蓄積するデータ蓄積部２１２と、データ蓄積部２１２に蓄積された情報を用いて体型データと相関を有する体質及び肌の情報を求める相関関係算出部２１３とを備えている。
【００２０】
相関関係算出部２１３は、各対象者の体質の情報を数値化した体質データと各対象者の体型データとの相関係数を算出し、また、各対象者の肌の情報を数値化した肌データと各対象者の体型データとの相関係数を算出する。
相関係数は、＋１から−１までの値を持つ。相関係数の算出方法は広く知られており、非特許文献１にも記載されている。
相関関係算出部２１３は、体型データとの相関係数が所定値（例えば、０．７）を超える体質データの情報、及び、体型データとの相関係数が所定値を超える肌データの情報を体型データと対応付けてデータベース２０に格納する。
【００２１】
図４は、データベース２０に格納する情報の作成手順を示している。
複数の対象者の体質を判定し(ステップ１)、同一対象者の肌状態を評価し(ステップ２)、採寸用ボディースーツを用いて同一対象者の体型データを取得する（ステップ３）。
ステップ１〜ステップ３で得られた情報を用いて、体型データと、体質を数値化した体質データとの相関係数を算出し(ステップ４)、相関係数が閾値(例えば、０．７)を超える体質データの情報を、体型データと対応付けてデータベースに記録する(ステップ５)。
また、ステップ１〜ステップ３で得られた情報を用いて、体型データと、肌状態を数値化した肌データとの相関係数を算出し(ステップ６)、相関係数が閾値(例えば、０．７)を超える肌データの情報を、体型データと対応付けてデータベースに記録する(ステップ７)。
【００２２】
一方、識別装置１０は、被験者が着用した採寸用ボディースーツ４０２との近距離通信を通じて被験者の体型データを読み取った読取装置４０１から被験者の体型データを取得する体型データ受信部１０２と、体型データ受信部１０２が受信した体型データと相関を持つ体質及び肌の情報を識別する識別部１０１と、識別部１０１が識別した情報を表示する表示部１０３とを備えている。
【００２３】
識別部１０１は、体型データ受信部１０２が被験者の体型データを受信すると、データベース２０から、その体型データと相関を有する体質及び肌の情報を読み出し、表示部１０３に表示する。
このとき、体質及び肌の改善を指導する情報をデータベース２０に格納しておき、体質及び肌の情報と合わせて表示するようにしても良い。
【００２４】
このように、このシステムでは、図５に模式的に示すように、体型の情報に基づいて、それと相関関係を有する体質や肌の情報が表示される。このシステムでは、採寸用ボディースーツを用いて被験者の体型データを簡単に得ることができるため、被験者は、自己の体質や肌の状態を簡便に知ることができる。
また、被験者は、遠隔地から識別装置１０に体型データを送信し、体質や肌の状態を知ることもできる。
また、このシステムのデータベースに格納する情報の作成も、採寸用ボディースーツを使用することで作成時間を短縮できる。
【００２５】
このシステムは、データベース２０を保持するサーバと、識別装置１０の機能を有するアプリケーションをインストールしたパソコンやスマートホン等とで構成することもできる。この場合、パソコンやスマートホン等からインターネットを通じてサーバにアクセスすることで、体型に応じた体質や肌の情報を得ることができる。
【産業上の利用可能性】
【００２６】
本発明の識別システムは、体質の状態を簡便に知ることが可能であり、各種医療機関や公共施設、家庭等で広く利用することができる。
【符号の説明】
【００２７】
１０    識別装置
２０    データベース
２１    蓄積情報作成装置
５２    布状センサ
５３    トップス
５４    ボトムス
５５    布状電極
５６    布状電極
５７    布状絶縁体
１０１  体質／肌状態識別部
１０２  体型データ受信部
１０３  表示部
２１１  データ入力部
２１２  データ蓄積部
２１３  相関関係算出部
３０１  ＣＣＭＱ
３０２  皮膚計測機
３０３  体型データ読取装置
３０４  採寸用ボディースーツ
４０１  体型データ読取装置
４０２  採寸用ボディースーツ
【図１】
2019205943.tif 000003
【図２】
2019205943.tif 000004
【図３】
2019205943.tif 000005
【図４】
2019205943.tif 000006
【図５】
2019205943.tif 000007